(57)【要約】      （修正有）【課題】日除け装置の使用時にあっても死角の少ない視界を使用者に提供すべく、日除け装置によって隠れる部分を含む光景の画像を日除け装置の操作者に向けて表示し得る日除け装置および画像表示モジュールを提供する。【解決手段】日除け装置１は、板状の日除け部材２と、日除け部材におけるその使用時に操作者を向く表面に表示部３ａを該操作者に向けて配置される表示装置３と、その表面の反対面が向く領域を撮像して撮像データを生成する撮像装置４と、撮像装置が生成した撮像データに基づいて、日除け部材の使用時に表示部に表示されるべき表示画像データを生成するデータ処理回路とを備える。画像表示モジュールは、操作者を向く表面に表示部を操作者に向けて配置される表示装置と、その表面の反対面が向く領域を撮像して撮像データを生成する撮像装置と、日除け装置の使用時に表示部に表示される表示画像データを生成するデータ処理回路と、を備える。【選択図】図１
2018177204.tif 000002
【特許請求の範囲】
【請求項１】
板状の日除け部材と、
前記日除け部材におけるその使用時に操作者を向く表面に、表示部を該操作者に向けて配置される有機ＥＬ表示パネルと、
前記表面の反対面が向く領域を撮像して撮像データを生成する撮像装置と、
前記撮像装置が生成した撮像データに基づいて、前記日除け部材の使用時に前記表示部に表示されるべき表示画像データを生成するデータ処理回路と
を備え、
前記日除け部材は、少なくとも前記日除け部材における前記表面の前記反対面に、前記有機ＥＬ表示パネルの温度上昇を防ぐべく赤外線反射部材を備えている、日除け装置。
【請求項２】
前記赤外線反射部材は、赤外線反射塗料が塗布された皮革または布地を含んでいる、請求項１に記載の日除け装置。
【請求項３】
前記布地が、セラミックスのビーズ、または、セラミックスが織り込まれた織糸を含んでいる、請求項２に記載の日除け装置。
【請求項４】
前記布地が、星形または十字型の形状の断面を有する織糸を用いて織り上げられている、請求項２または３に記載の日除け装置。
【請求項５】
前記有機ＥＬ表示パネルは複数のサブ画素を含み、
前記複数のサブ画素のそれぞれは、前記複数のサブ画素のそれぞれが発する光の波長と異なる長さの間隔を空けて配置された２つの電極を含んでいる、請求項１〜４のいずれか１項に記載の日除け装置。
【請求項６】
板状の日除け部材と、
前記日除け部材におけるその使用時に操作者を向く表面に、表示部を該操作者に向けて配置される有機ＥＬ表示パネルと、
前記表面の反対面が向く領域を撮像して撮像データを生成する撮像装置と、
前記撮像装置が生成した撮像データに基づいて、前記日除け部材の使用時に前記表示部に表示されるべき表示画像データを生成するデータ処理回路と
を備え、
前記有機ＥＬ表示パネルは複数のサブ画素を含み、
前記複数のサブ画素のそれぞれは、前記複数のサブ画素のそれぞれが発する光の波長と異なる長さの間隔を空けて配置された２つの電極を含んでいる、日除け装置。
【請求項７】
前記日除け部材が、少なくとも前記日除け部材における前記表面の前記反対面に、赤外線反射部材を備えている、請求項６に記載の日除け装置。
【請求項８】
前記有機ＥＬ表示パネルは、有機材料が積層された表面を有する可撓性フィルムを用いて形成されている、請求項６または７に記載の日除け装置。
【請求項９】
回動し得る前記日除け部材の位置を検知する第１検知器と、
前記日除け部材の操作者の眼の位置を検知する第２検知器と
をさらに備えており、
前記データ処理回路が、前記日除け部材の操作者の視界における前記日除け部材により遮られる死角部分を判別し、かつ、前記撮像データのうちの前記死角部分に対応する表示対象データを選択する表示対象データ選択回路をさらに有し、
前記データ処理回路が、前記死角部分の光景を前記表示装置に表示させるべく前記表示対象データに基づいて前記表示画像データを生成する、請求項１〜８のいずれか１項に記載の日除け装置。
【請求項１０】
前記第１検知器の検知結果に基づいて前記有機ＥＬ表示パネルのオンオフ状態を制御する制御回路
をさらに備える、請求項９に記載の日除け装置。
【請求項１１】
前記日除け部材の位置を検知する第３検知器をさらに備えており、
前記第３検知器は、前記第１検知器が検知し得る前記日除け部材の位置の変化の方向と異なる方向における前記日除け部材の位置を検知する検知器であり、
前記制御回路は、前記第１検知器および前記第３検知器の検知結果に基づいて前記有機ＥＬ表示装置のオンオフ状態を制御する、請求項１０に記載の日除け装置。
【請求項１２】
前記第１検知器は、前記日除け部材における前記回動の軸となる部材の周囲に配置された角度センサである、請求項９〜１１のいずれか１項に記載の日除け装置。
【請求項１３】
前記第１検知器は、前記日除け部材の使用時または非使用時に前記日除け部材と近接する位置に配置されたマグネットによって作り出される磁界の中を前記回動に伴って移動すべく前記日除け部材に備えられた磁気センサである、請求項９〜１１のいずれか１項に記載の日除け装置。
【請求項１４】
前記第２検知器は、前記操作者を撮影する二つのカメラを備え、前記二つのカメラそれぞれの位置および前記二つのカメラによる撮影画像に基づいて前記操作者の両眼のうちの少なくとも一方の眼の位置を特定する、請求項９〜１３のいずれか１項に記載の日除け装置。
【請求項１５】
前記第２検知器は、前記操作者の眼の位置として扱う位置を前記操作者の両眼の中点と前記操作者の左右いずれかの眼の位置との間で切り替え可能とされている、請求項９〜１４のいずれか１項に記載の日除け装置。
【発明の詳細な説明】
【技術分野】
【０００１】
本発明は、操作者を向く表面に備えられる表示装置に、その表面の反対面が向く領域の画像が表示される日除け装置に関する。また、本発明は、日除け装置の使用時に操作者を向く表面に備えられるべき表示装置に、その表面の反対面が向く領域の画像が表示される画像表示モジュールに関する。
【背景技術】
【０００２】
乗り物や建物の室内などでは、太陽光が人の視界に直接入る場合、その眩しさのために窓の外を正視することが困難になったり、グレアの発生などによって正常な視界の確保が困難になったりすることがある。そのような場合、一定の大きさを有する板状の部材で日差しを遮る日除け装置が用いられることがある。日除け装置が車室などの内側における窓の近くに配置されることによって、車室などの内部に差し込む日差しが遮られ、眩しさが軽減される。また、たとえば自動車用の日除け装置では、使用時に運転者の眼の前に位置付けられる日除け装置と他の装置とを組み合わせることが試みられている。たとえば特許文献１には、テレビジョンやナビゲーションシステムの表示部として液晶表示装置を備える日除け装置が開示されている。
【先行技術文献】
【特許文献】
【０００３】
【特許文献１】特開平７−２３４３９５号公報
【発明の概要】
【発明が解決しようとする課題】
【０００４】
前述のように、日除け装置が用いられることによって、日差しによる眩しさが軽減される。しかし、その一方で、日除け装置が用いられることによって、車室などの内側からの視界の一部が遮られる。そのため、本来、室内などから視認され得る窓の外の光景に死角が生じることがある。特に、自動車の運転席に設けられる日除け装置が使用位置に位置付けられるときには、運転者の前方における上方の領域に死角が生じ易い。そのため、運転者の眼の位置よりも上方に配置されている信号機や道路標識が、運転者の視界に捉えられずに見落とされてしまうことがある。
【０００５】
そこで、本発明は、日除け装置の使用時にあっても死角の少ない視界を使用者に提供すべく、日除け装置によって隠れる部分を含む光景の画像を日除け装置の操作者に向けて表示し得る日除け装置および画像表示モジュールを提供することを目的とする。
【課題を解決するための手段】
【０００６】
本発明の一実施形態の日除け装置は、板状の日除け部材と、前記日除け部材におけるその使用時に操作者を向く表面に、表示部を該操作者に向けて配置される表示装置と、前記表面の反対面が向く領域を撮像して撮像データを生成する撮像装置と、前記撮像装置が生成した撮像データに基づいて、前記日除け部材の使用時に前記表示部に表示されるべき表示画像データを生成するデータ処理回路と、を備えていることを特徴とする。
【０００７】
また、本発明の一実施形態の画像表示モジュールは、日除け装置におけるその使用時に操作者を向く表面に、表示部を該操作者に向けて配置されるべき表示装置と、前記表面の反対面が向く領域を撮像して撮像データを生成する撮像装置と、前記撮像装置が生成した撮像データに基づいて、前記日除け装置の使用時に前記表示部に表示されるべき表示画像データを生成するデータ処理回路と、を備えていることを特徴とする。
【発明の効果】
【０００８】
本発明の一態様によれば、日除け装置によって隠れる部分を含む光景の画像を日除け装置の操作者に向けて表示することができ、日除け装置の使用時にあっても死角の少ない視界を使用者に提供することができる。
【図面の簡単な説明】
【０００９】
【図１】本発明の実施形態１の日除け装置を使用時の状態で示す図である。
【図２】実施形態１の日除け装置の日除け部材および表示装置を示す正面図である。
【図３】図２のIII−III線での断面図である。
【図４Ａ】実施形態１の日除け装置の撮像装置により撮像される領域の一例を、操作者の死角部分と共に模式的に示す図である。
【図４Ｂ】実施形態１の日除け装置の撮像装置により撮像される領域の他の例を、操作者の死角部分と共に模式的に示す図である。
【図５】本発明の実施形態１の日除け装置における日除け部材の形状の別例を示す図である。
【図６】実施形態１の日除け装置の第１検知器の一例を示す図である。
【図７Ａ】実施形態１の日除け装置の使用状態の一例を示す図である。
【図７Ｂ】実施形態１の日除け装置の使用状態の他の例を示す図である。
【図８】実施形態１の日除け装置の他の使用状態の例を示す図である。
【図９】実施形態１の日除け装置の第２検知器の一例を示す図である。
【図１０】実施形態１の日除け装置の主な構成要素を示すブロック図である。
【図１１Ａ】実施形態１の日除け装置の日除け部材と操作者の視線との角度の一例を示す図である。
【図１１Ｂ】実施形態１の日除け装置の日除け部材と操作者の視線との角度の他の例を示す図である。
【図１２Ａ】実施形態１の日除け装置のデータ補正回路によって補正された表示画像を示す図である。
【図１２Ｂ】図１２Ａの表示画像を操作者の眼に映る形状で示す図である。
【図１３】実施形態１の日除け装置の日除け部材による操作者の死角部分の例を示す図である。
【図１４】実施形態１の日除け装置の日除け部材による操作者の死角部分に対応した表示画像の一例を示す図である。
【図１５】実施形態１の日除け装置のメモリ回路に記憶されるデータの一例を概念的に示す図である。
【図１６Ａ】実施形態１の日除け装置によって強調して表示されている画像の一例を示す図である。
【図１６Ｂ】実施形態１の日除け装置によって強調して表示されている画像の他の例を示す図である。
【図１７】実施形態１の日除け装置における表示装置の一例を示す断面図である。
【図１８】本発明の実施形態１の画像表示モジュールの一例を示す正面図である。
【図１９】図１８のIXX−IXX線での断面図である。
【発明を実施するための形態】
【００１０】
以下、図面を参照し、本発明の日除け装置および画像表示モジュールの実施形態が説明される。なお、以下に説明される実施形態における各構成要素の材質、形状、および、それらの相対的な位置関係などは、あくまで例示に過ぎない。本発明の日除け装置および画像表示モジュールは、これらによって限定的に解釈されるものではない。また、以下では、フロントガラスの近傍に取付けられる自動車用の日除け装置を例に、実施形態１の日除け装置が説明される。しかし、本発明の日除け装置および画像表示モジュールは、自動車に限らず、列車、船舶および航空機などの各種の乗り物、ならびに、住居やオフィスビルなどの各種の建物において用いられ得る。
【００１１】
＜実施形態１＞
図１には、実施形態１の日除け装置１が、自動車Ｃの車室内に配置され、かつ、使用位置に位置付けられた状態で示されている。また自動車Ｃの助手席の上方には、第２の日除け装置を構成し得る日除け部材２０が、使用されていない状態で示されている。図２には、日除け装置１の日除け部材２および表示装置３が示され、図３には、図２のIII−III線での断面図が示されている。また、図４Ａおよび４Ｂには、日除け装置１の撮像装置４により撮像される撮像領域４１が模式的に示されている。
【００１２】
図１〜４Ｂに示されるように、本実施形態の日除け装置１は、板状の日除け部材２と、日除け部材２の使用時に、日除け部材２の操作者、すなわち本実施形態では運転者Ｍを向く表面２ａに、表示部３ａを運転者Ｍに向けて配置される表示装置３と、を備えている。日除け装置１は、さらに、日除け部材２の表面２ａの反対面２ｂが向く領域を撮像して撮像データを生成する撮像装置４を備えている。なお、以下の説明では、日除け部材２の「表面２ａ」は、日除け部材２の「第１面２ａ」とも称される。また、表面２ａの反対面２ｂは、日除け部材２の「第２面２ｂ」とも称される。日除け装置１は、さらに、撮像装置４が生成した撮像データに基づいて、日除け部材２の使用時に表示装置３の表示部３ａに表示されるべき表示画像データを生成するデータ処理回路５（図１０参照）を備えている。図示されていないが、撮像装置４とデータ処理回路５とは、有線または無線でデータの送受信が可能なように接続されている。また、撮像装置４は、図１では、解り易いように日除け部材２の横に描かれているが、好ましくは図４Ａに示されるように、運転者Ｍと日除け部材２と撮像装置４とが自動車Ｃの前後方向においてほぼ直線上に並ぶ位置に配置される。
【００１３】
なお、以下の説明において、日除け部材２の「使用」は、日差しに第２面２ｂが照らされる位置に日除け部材２を位置付けることによって、第１面２ａが向く領域を照射し得る日差しの少なくとも一部を日除け部材２に遮らせることを意味する。また、日除け部材２の「使用状態」は、日除け部材２が「使用」されている状態であり、日除け部材２の「使用位置」は、日除け部材２が「使用状態」となる位置である。
【００１４】
日除け部材２は、図１に示される例では、自動車Ｃの車室内の天井部分に、Ｌ字型に折り曲げられた棒状の取り付け部材Ｆを用いて取り付けられている。図１に示されるように、表示装置３の表示部３ａには、日除け部材２の第２面２ｂ（図３参照）が向く前方の領域の画像、すなわち、図１の例では自動車Ｃのフロントガラス越しの車外の光景の画像が表示されている。表示装置３には、信号機Ｓ１、「指定方向外進行禁止」を示す規制標識Ｓ２、主要地点などを示す案内標識Ｓ３、および規制標識Ｓ２の規制対象時間などを表示する補助標識Ｓ４が表示されている。日本では、道路標識として、このような規制標識および案内標識、ならびに、特定の許可や命令を示す指示標識および注意を促す警戒標識を含む本標識と、補助標識とが設置されている。本実施形態の日除け装置１によれば、日除け部材２に隠れる光景が表示装置３に表示されるので、運転者Ｍなどは、逆光下であっても、これらの道路標識や信号機などを見落とすことなく確認することができる。
【００１５】
図１において表示装置３に表示されている信号機Ｓ１や規制標識Ｓ２は、本来、図１における自動車Ｃと信号機Ｓ１などとの位置関係において、自動車Ｃの運転者Ｍの視界に入るべき位置に存在している。ところが、日差しを遮るべく使用位置に位置付けられている日除け部材２によって、信号機Ｓ１などが存在する領域が覆われている。しかし、本実施形態では、日除け部材２の第２面２ｂが向く領域が、撮像装置４によって撮像され得る。そして、撮像装置４によって生成された撮像データに基づいて、表示装置３に表示されるべき表示画像データがデータ処理回路５によって生成される。その結果日除け部材２に覆われている領域に見えるべき光景が、運転者Ｍを向く日除け部材２の表面２ａ（図３参照）に設けられる表示装置３に画像として表示される。従って、運転者Ｍは、前述のように、逆光下であっても、たとえば、案内標識や補助標識に書かれた文字などでさえも明瞭に確認することができる。
【００１６】
すなわち、図４Ａおよび４Ｂに示されるように、撮像装置４は、運転者Ｍの視界のうちの日除け部材２によって遮られる死角部分Ｂを含む撮像領域４１を撮像すべく、自動車Ｃに配置される。そのように配置された撮像装置４によって死角部分Ｂを含む領域が撮像され、撮像データが生成される。撮像データに基づく表示画像データがデータ処理回路５（図１０参照）によって生成されて表示装置３に送られる。その結果、死角部分Ｂとなり得る領域を含む光景の画像が、運転者Ｍに向けて表示装置３（図１参照）に表示され得る。運転者Ｍが、日除け部材２に隠れる部分の光景を、表示装置３を介して視認することができる。そのため、日除け部材２が使用されるような日差しの下での、運転者Ｍによる信号機や道路標識などの見落としを少なくすることができる。本実施形態の日除け装置１は、交通の安全確保に寄与し得るものと考えられる。
【００１７】
なお、図１に示される例において助手席の上方かつ前方に設けられている日除け部材２０にも、表示装置３と同様の表示装置が設けられていてもよい。すなわち、日除け部材２０と、その使用時に日除け部材２０の操作者（たとえば助手席に座る同乗者）を向く表面に配置される表示装置とを含む第２の日除け装置が構成されていてもよい。そして、第２の日除け装置を構成する表示装置にも、日除け部材２０における表示装置が配置されている表面と反対面が向く領域の光景が表示されてもよい。その場合、第２の日除け装置用の第２の撮像装置が設けられてもよく、日除け装置１の構成要素と同様の構成要素が第２の日除け装置に備えられていてもよい。従って、第２の日除け装置は、以下にさらに詳細に説明される日除け装置１と同様の機能を有していてもよい。
【００１８】
本実施形態では、撮像装置４は、日除け部材２と別個に形成され、自動車Ｃの内部に配置されている。撮像装置４は、図４Ａに示されるように、好ましくは、自動車Ｃのフロントガラスにおける上縁付近で、運転者Ｍと日除け部材２と撮像装置４とが、自動車Ｃの前後方向においてほぼ直線上に並ぶ位置に配置される。また、撮像装置４は、図４Ｂに示されるように、自動車Ｃのフロントガラスの左右方向（自動車Ｃの車幅方向）の中央部、たとえばバックミラー（リアビューミラー）ＲＭの裏面（自動車Ｃの前方を向く面）に配置されてもよい。図４Ａおよび図４Ｂに示されるように、撮像装置４は、たとえば、遠くとも自動車Ｃの前端Ｃ１よりも前方の位置では、死角部分Ｂの全てが撮像領域４１内に収まるように配置される。たとえば、そのような撮像領域４１をもたらし得る画角を有するレンズを備えたカメラなどが撮像装置４として用いられる。あるいは、そのような撮像領域４１を得るのに適した位置および角度で、撮像装置４が配置される。図４Ａに示されるように、運転者Ｍと日除け部材２と撮像装置４とがほぼ直線上に並ぶように、日除け部材２および撮像装置４が配置されると、画角の小さいレンズを備える撮像装置４であっても、撮像領域４１内に死角部分Ｂを収めることが容易になる。
【００１９】
撮像装置４は、図４Ａおよび図４Ｂに示される位置に限定されず、適切な撮像領域４１を得ることが可能な任意の位置に配置され得る。例えば、撮像装置４は、自動車Ｃのフロントガラスの左右方向の縁部付近や、図示されないダッシュボードの上に配置されてもよい。なお、フロントガラスの少なくとも撮像装置４に面する部分の車外に向く表面には、酸化チタンなどの光触媒効果を用いた防汚コーティングが施されていることが好ましい。また、撮像装置４は、日除け部材２の第２面２ｂに配置されてもよい。しかし、後述のように、日除け部材２は任意の位置（角度）で使用され得るため、撮像装置４は、安定した撮像領域４１を確保するという点で、日除け部材２とは別の物に支持されるべく配置されるのが好ましい。
【００２０】
撮像装置４は、所望の撮像領域の光景を撮像でき、データ処理回路５で処理され得る形式の撮像データを生成できるものであれば、特に限定されない。たとえば、撮像装置４としては、ＣＣＤイメージセンサやＣＭＯＳイメージセンサを有するデジタルカメラなどが例示される。撮像領域中の光景に基づく光エネルギーが、微小エリア毎に、ＣＣＤイメージセンサなどの内部にマトリックス状に配置された受光素子によって電気信号に変換され、それらの電気信号に基づく撮像データが生成される。好ましくは、カラー撮影の可能なイメージセンサを有するカメラなどが、撮像装置４に用いられる。
【００２１】
図４Ａには、一点鎖線で示される円Ｚ内に、撮像装置４が、拡大されて模式的に示されている。本実施形態の日除け装置１の撮像装置４は、屈折率の調整により光の反射を低減する被覆層４ａが形成されている表面を有するレンズ４ｂを備えている。撮像装置４は、日除け部材２の使用時に日差しに照らされる第２面２ｂが向く領域の光景を撮像する。従って、撮像装置４には、逆光の下での撮影が求められる。そのため、撮像装置４のレンズ４ｂには、被覆層４ａが設けられている。被覆層４ａによって、逆光の下での撮影において生じ易いフレアやゴーストの発生が抑制され得る。被覆層４ａは、レンズ４ｂの表面にナノサイズの多数のくさび状の構造物を形成することや、レンズ４ｂの表面にナノサイズの微粒子の層を形成することによって形成され得る。なお、撮像装置４は、必ずしも被覆層４ａを有するレンズを備えていなくてもよい。
【００２２】
再度、図２および図３を参照して、日除け部材２および表示装置３が、さらに詳細に説明される。日除け部材２は、板状の形状に形成され、第１面２ａおよび第２面２ｂにおける形状として全体としてほぼ矩形の形状を有している。日除け部材２における長手方向とほぼ平行な２つの端縁２ｄ１、２ｄ２のうちの一方の端縁２ｄ１の近傍には、棒状の取り付け部材Ｆとの係合のための挿入孔２ｃが、端縁２ｄ１に沿って設けられている。日除け部材２は、端縁２ｄ１が日除け部材２の使用時に上側となるように、取り付け部材Ｆを介して自動車Ｃに取り付けられる。
【００２３】
また、本実施形態では、日除け部材２は、２つの端縁２ｄ１、２ｄ２それぞれの近傍に曲面部２ｅ１、２ｅ２を有している。すなわち、日除け部材２は、日除け部材２の使用時に上側に向けられる縁部および下側に向けられる縁部に曲面部２ｅ１、２ｅ２を有している。日除け部材２の第１面２ａは、曲面部２ｅ１、２ｅ２において、端縁２ｄ１、２ｄ２に向って凸状に湾曲する曲面となっている。曲面部２ｅ１、２ｅ２の曲率半径（Ｒ１）としては、５ｍｍ以上、２０ｍｍ以下が好ましい。また、端縁だけが湾曲するのではなく、後述のように、日除け部材２が第１面２ａにおいて全体的に曲面を有していてもよい（図５参照）。なお、日除け部材２は、必ずしも、曲面部２ｅ１、２ｅ２を有していなくてもよく、また、日除け部材２の使用時に上側または下側に向けられるいずれかの縁部だけに曲面部を有していてもよい。日除け部材２は、たとえば、ウレタンなどの合成樹脂を用いて形成される。しかし、日除け部材２の材料は、光の透過を少しでも遮ることができるものであればよく、日除け部材２の材料は合成樹脂に限定されない。また、日除け部材２の形状も全体として矩形の形状に限定されず、日除け部材２は、任意の形状を有し得る。
【００２４】
日除け部材２の第２面２ｂは、日除け部材２の使用時に日差しに晒される。日除け部材２の第１面２ａには、表示装置３が配置されている。表示装置３として用いられる電子機器、特に、後述されるように本実施形態の日除け装置１の表示装置３として好適な有機ＥＬ表示パネルなどでは、温度上昇に伴って輝度が低下し、さらに、温度の上昇に伴って経時的な輝度の低下が進行することがある。従って、日除け部材２の第２面２ｂには、日差しに含まれる赤外線を反射する措置が施されていることが好ましい。また、日除け部材２が合成樹脂などを用いて形成される場合、素材が露出した状態で日除け部材２が用いられることは少なく、日除け部材２の表面に加飾が施される。特に本実施形態では、少なくとも、日除け部材２における表示装置３が配置されない表面である第２面２ｂに加飾が施されることが好ましい。これらの観点から、日除け部材２の少なくとも第２面２ｂには、図３に示されるように、赤外線を反射する性能を有する赤外線反射部材２１が備えられていることが好ましい。そして、赤外線反射部材２１が、たとえば、天然もしくは合成皮革、または、モケットなどのパイル織物からなる布地などの装飾性を備えた素材を含んでいることが、さらに好ましい。
【００２５】
赤外線反射部材２１としては、赤外線に対する高い反射率を有する顔料を含む赤外線反射性塗料によって形成されるコーティング膜が例示される。また、このような赤外線反射性塗料は、さらに、赤外線の吸収性や、赤外線を乱反射させる特性を有する酸化チタンやセラミックスからなる中空ビーズを含んでいてもよい。このような赤外線反射性塗料が、日除け部材２の少なくとも第２面２ｂに塗布されることによって赤外線反射部材２１が備えられてもよい。また、このような赤外線反射性塗料を天然もしくは合成皮革、またはパイル織物からなる布地に塗布することによって、皮革素材や布地を含む赤外線反射部材２１が形成され、この赤外線反射部材２１が、日除け部材２の表面に装着されてもよい。また、日除け部材２の表面が布地を含む素材で加飾される場合は、その布地にセラミックスなどのビーズが練り込まれてもよい。また、その布地が、セラミックスが織り込まれた織糸によって織り上げられた布地であってもよく、赤外線を乱反射させるのに好適な星形や十字型の断面形状を有する織糸によって織り上げられた布地であってもよい。
【００２６】
表示装置３は、データ処理回路５（図１０参照）によって生成される表示画像データに基づく画像を表示部３ａに表示する。表示装置３は、そのような機能を有し、日除け部材２の表面２ａに配置され得るものであれば特に限定されないが、表示装置３は、好ましくは、薄型の形状を有し得る有機ＥＬ表示パネルや液晶表示パネルであることが好ましい。図２に示される例では、表示装置３は、日除け部材２の２つの短辺の近傍部分を除いて、第１面２ａの全体にわたって設けられている。また、表示装置３における日除け部材２の第１面２ａに露出している面のほぼ全体が表示部３ａを構成している。
【００２７】
本実施形態では、表示装置３は、日除け部材２の２つの曲面部２ｅ１、２ｅ２それぞれにおいて、曲面部２ｅ１、２ｅ２の曲面に沿って形成されている。曲面部２ｅ１、２ｅ２それぞれの曲率半径（Ｒ１）は、たとえば１０ｍｍである。表示装置３が、このように曲面部２ｅ１、２ｅ２に沿って形成されているため、運転者は、日除け部材２の第１面２ａに対して斜め方向から表示装置３を見る場合に、曲面部２ｅ１、２ｅ２の曲面への表示装置３の形成が無い場合と比べて、良好な視認性を確保することができる。日除け部材２の第１面２ａは、図３に示される形状と異なり、図５に示されるように、全面にわたって曲面であってもよい。この場合の第１面２ａの曲率半径（Ｒ２）としては、５０ｍｍ以上、２５０ｍｍ以下が好ましく、たとえば、Ｒ２＝１５０ｍｍである。このように全面にわたって曲面である第１面２ａにおいても、運転者Ｍが斜め方向から表示装置３を見るときに、比較的良好な視認性が確保される。日除け部材２が曲面部を有することの利点は、後述の説明において詳述される。
【００２８】
本実施形態の日除け装置１は、図６に示されるように、日除け部材２の位置を検知する検知器（第１検知器６）を備えていてもよい。第１検知器６は、少なくとも、日除け部材２の使用状態と非使用状態とを識別すべく、日除け部材２の位置を検知する。また、第１検知器６は、好ましくは、日除け部材２の第１面２ａの角度（たとえば、運転者Ｍの視線に対する角度）を検知することにより日除け部材２の位置を検知する。
【００２９】
図６には、第１検知器６の例として角度センサ６ｂが示されている。図６の例では、角度センサ６ｂは、ロータリーポテンショメータを用いた回転角度検出センサである。図６の角度センサ６ｂは、日除け部材２と共に取り付け部材Ｆを軸に回動する可動部６ｂ１および取り付け部材Ｆに固定される固定部６ｂ２を有し、取り付け部材Ｆが挿入される挿入孔２ｃの周囲に配置されている。角度センサ６ｂは、固定部６ｂ２と、日除け部材２と共に回動する可動部６ｂ１との間の、取り付け部材Ｆを軸とする周方向における位置の差異を検知することで、日除け部材２の角度、すなわち、回動方向における位置を検知する。
【００３０】
図７Ａおよび図７Ｂに示される例では、日除け部材２は、挿入孔２ｃ（図３参照）がその近傍に設けられている端縁２ｄ１と反対側の端縁２ｄ２の近傍に、第１検知器６として磁気センサ６ａを備えている。図７Ａおよび図７Ｂには、運転者Ｍの側方からの図として日除け部材２の使用状態の例が示されている。日除け部材２は、回動可能な方法で取り付け部材Ｆと結合されている。日除け部材２は、取り付け部材Ｆを軸として回されることにより、使用されていない位置である非使用位置Ｐ０から、図７Ａにおける使用位置Ｐ１や図７Ｂにおける使用位置Ｐ２などへと位置付けられる。
【００３１】
そして、日除け部材２が非使用位置Ｐ０にあるときに磁気センサ６ａと近接する位置にマグネット６１が配置されている。また、日除け部材２が取り付け部材Ｆを軸として非使用位置Ｐ０から最も遠くまで回動した位置（図７Ａおよび図７Ｂの例では図７Ｂにおける使用位置Ｐ２）にあるときに磁気センサ６ａと近接する位置にマグネット６２が配置されている。マグネット６１、６２は、たとえば、天井部の内装の表面もしくはその裏側や、ピラーＣ２の表面や内部に配置され得る。
【００３２】
マグネット６１、６２は、たとえば、磁気センサ６ａに向って、互いに同じ磁極（Ｎ極またはＳ極）を向けて配置される。磁気センサ６ａは、日除け部材２の回動に伴って、マグネット６１とマグネット６２とによって作り出される磁界の中を移動する。磁気センサ６ａは、自身の位置における磁界の向きおよび強度を検知し、検知結果を、例えば、電気的に出力する。磁気センサ６ａ、およびマグネット６１、６２を用いることによって、日除け部材２が、非使用位置Ｐ０にあるか、所定の使用位置たとえば使用位置Ｐ２にあるかを確実に検知することができる。磁気センサ６ａは、たとえば、ホール素子や、単に磁気コイルなどによって構成され得る。第１検知器６は、日除け部材２の位置を検知することができればよく、図示された例に限定されない。たとえば、図７Ａおよび図７Ｂにおける磁気センサ６ａの位置にマグネットが配置され、マグネット６１、６２の位置それぞれに第１検知器６として磁気センサが設けられてもよい。また、マグネット６１、６２のいずれか１つだけが配置されてもよい。
【００３３】
第１検知器６が設けられる場合、日除け装置１には、好ましくは、第１検知器６と接続される制御回路７（図１０参照）が備えられる。制御回路７は、少なくとも、第１検知器６の検知結果に基づいて日除け部材２が使用位置にあるか否かを判断する。そして、その判断に基づいて表示装置３のオンオフ状態を制御する。たとえば、第１検知器６の検知結果が、所定の位置よりも非使用位置Ｐ０から遠い位置に日除け部材２があることを示していると、制御回路７は、日除け部材２が使用位置にあると判断する。そして、そのときに表示装置３がオフ状態にある場合は、制御回路７は表示装置３をオン状態へと制御し、表示部３ａに画像を表示させる。また、第１検知器６の検知結果が所定の位置よりも非使用位置Ｐ０の近くに日除け部材２があることを示していると、制御回路７は、日除け部材２が非使用位置にあると判断する。そして、そのときに表示装置３がオン状態にある場合は、制御回路７は、表示装置３をオフ状態へと制御し、表示部３ａへの画像の表示を停止させてもよい。日除け装置１がこのような構成を備えることによって、運転者Ｍは、日除け部材２を操作するだけで、表示装置３に画像を表示させたり、その表示を停止させたりすることができる。第１検知器６は、磁気センサ６ａや角度センサ６ｂに限定されず、重力センサなど、日除け部材２の位置（角度）に基づいて変化する事象の検出が可能な任意の検知器であってもよい。なお、第１検知器６は設けられなくてもよい。すなわち、表示装置３のオンオフの制御は、日除け部材２の操作者によって行われてもよい。
【００３４】
日除け部材２が曲面部を有することの利点が、図７Ａおよび図７Ｂを参照して以下に説明される。日除け部材２が使用位置Ｐ１にある場合、運転者Ｍは、日除け部材２の第１面２ａに対して斜め方向から表示装置３を見ることとなる。その場合、日除け部材２が曲面部２ｅ２を有さず、その結果、表示装置３における曲面部２ｅ２の曲面に沿う部分が無いと、運転者Ｍは、表示装置３における、運転者Ｍに対して斜め方向を向いている部分しか見ることができない。しかし、本実施形態の日除け部材２は曲面部２ｅ２を有し、曲面部２ｅ２の曲面に沿って表示装置３が形成されている。そのため、運転者Ｍは、端縁２ｄ２の近傍においても、運転者Ｍの視線に対して垂直な部分を含む領域に表示される画像を見ることができる。曲面部２ｅ２が無い場合に比べて、運転者Ｍの表示装置３に対する視認性が高い。
【００３５】
また、日除け部材２が使用位置Ｐ２にある場合も、運転者Ｍは、日除け部材２の第１面２ａの法線に対して斜め方向から表示装置３を見ることとなる。本実施形態では、日除け部材２は曲面部２ｅ１を有し、曲面部２ｅ１の曲面に沿って表示装置３が形成されているため、運転者Ｍは、端縁２ｄ１の近傍においても、運転者Ｍの視線に対して垂直な部分を含む領域に表示される画像を見ることができる。曲面部２ｅ１が無い場合に比べて、運転者Ｍの表示装置３に対する視認性が高い。
【００３６】
このように、日除け部材２が曲面部２ｅ１、２ｅ２を有し、曲面部２ｅ１、２ｅ２それぞれの曲面に沿って表示装置３が形成されることによって、運転者Ｍの良好な視認性が確保される。具体的には、端縁２ｄ１、２ｄ２のうちの運転者Ｍに近い方の端面の曲面部（曲面部２ｅ１または曲面部２ｅ２）が、運転者Ｍの視認性の確保に主に寄与すると考えられる。運転者Ｍは、通常、無造作に日除け部材２を操作しがちである。そのため、日除け部材２は、運転者Ｍに対して第１面２ａが傾いた状態の任意の位置で使用される。日除け部材２は、少なくとも、端縁２ｄ１および端縁２ｄ２のいずれかの近傍に、曲面部２ｅ１および曲面部２ｅ２のような曲面部を有していることが好ましい。前述のような視認性向上の効果が得られる。日除け部材２は、端縁２ｄ１および端縁２ｄ２それぞれの近傍に、曲面部２ｅ１および曲面部２ｅ２のような曲面部を有していることが、さらに好ましい。また、表示装置３は、前述のように、液晶表示パネルであってもよいが、液晶表示パネルよりも柔軟な可撓性を有し得る有機ＥＬ表示パネルが、表示装置３として好ましい。有機材料が積層された表面を有する可撓性フィルムを用いて形成された有機ＥＬ表示パネルが、表示装置３として特に好ましい。
【００３７】
日除け部材２は、運転席のドアの窓から差し込む日差しをも遮り得るように、自動車Ｃに取り付けられてもよい。すなわち、図８に示されるように、車室の天井部に、回動自在に取付けられる取り付け部材Ｆを介して、自動車Ｃに取り付けられてもよい。図８に示されるような使用形態に対応すべく、日除け装置１は、日除け部材２の位置を検知する、さらなる検知器（第３検知器９）を備えていてもよい。第３検知器９は、第１検知器６（図６参照）が検知し得る日除け部材２の位置の変化の方向と異なる方向における日除け部材２の位置を検知する。図８には、第３検知器９として磁気センサ９ａが例示されている。
【００３８】
磁気センサ９ａは、日除け部材２において、取り付け部材Ｆの回動における動径方向の端部の近傍に配置されている。そして、日除け部材２が、運転席のドアの窓の一部を覆うべく取り付け部材Ｆの回動によって動かされたときに磁気センサ９ａに近接する位置にマグネット９１が配置されている。マグネット９１は、たとえば、天井部やドア枠の上部の内装の表面もしくはその裏側などに配置され得る。
【００３９】
磁気センサ９ａは、前述の磁気センサ６ａと同様に機能する。すなわち、磁気センサ９ａは、マグネット９１によって作り出される磁界の強さに基づいて、日除け部材２に関して取り付け部材Ｆの回動方向における位置を検知する。そして、制御回路７（図１０参照）は、第３検知器９の検知結果に基づいて、日除け部材２が、フロントガラスおよびドアの窓のいずれに対して使用されているかを判断する。たとえば、第３検知器９の検知結果が、所定の位置よりも日除け部材２がドアの窓の近くにあることを示していると、制御回路７は、日除け部材２がドアの窓ガラスに対して使用されていると判断する。そして、そのときに表示装置３がオン状態にある場合は、制御回路７は表示装置３をオフ状態へと制御し、画像の表示を停止させる。この場合、制御回路７は、前述の第１検知器６の検知結果に拘らず、第３検知器９の検知結果だけに基づいて表示装置３をオフ状態へと制御してもよい。
【００４０】
また、本実施形態の日除け装置１は、図８に示されるような使用位置における操作者（運転者）を向く日除け部材２の表面２ａｂに第２の表示装置３９を備え、さらに、日除け部材２の表面２ａｂの反対面が向く領域を撮像して撮像データを生成する第２の撮像装置４２を備えていてもよい。そして、フロントガラスに沿う日除け部材２の回動の軸と異なる軸（取り付け部材Ｆの回動軸）を中心とした回動が行われたことを第３検知器９が検知した時に、第２の表示装置３９をオン状態へと制御し、第２の撮像装置４２によって生成された撮像データに基づく画像を第２の表示装置３９の表示部に表示させてもよい。図８に示される日除け部材２の使用位置において生じ得る死角部分の光景を運転者に視認させることができる。またこの場合においても、制御回路７は、第２の表示装置３９をオン状態に制御すると共に、日除け部材２におけるドアの窓ガラスを向く表面に配置された表示装置３をオフ状態へと制御してもよい。
【００４１】
第２の表示装置３９は、日除け部材２がフロントガラスに対して用いられているときには日差しに晒される。そのため、第２の表示装置３９の表面（表示画面）には、透明な材料によって形成される赤外線反射層または赤外線吸収層が形成されていることが好ましい。このような構成とすることによって、熱に起因する第２の表示装置３９の劣化を抑制することができる。赤外線反射層は、たとえば、アンチモンドープ酸化スズ（ＡＴＯ）またはスズドープ酸化インジウム（ＩＴＯ）を用いて形成される。たとえば、ＡＴＯやＩＴＯのナノ粒子分散体を含むビヒクルを第２の表示装置３９の表面に塗布することによって、赤外線反射層を形成することができる。ナノ粒子分散体の粒径は、特に限定されないが、好ましくは、２０ｎｍ以上、５０ｎｍ以下である。また、赤外線吸収層は、たとえば、セシウム酸化タングステンのナノ粒子分散体を用いて形成することができる。また、赤外線反射層および赤外線吸収層は、紫外線吸収機能を有することが、さらに好ましい。第２の表示装置３９が、紫外線の影響を受け易い有機材料を含んでいる場合でも、画質の劣化が防止され得る。
【００４２】
このように、制御回路７は、第１検知器６だけでなく、第３検知器９の検知結果にも基づいて表示装置３のオンオフ状態を制御してもよい。自動車Ｃの外部に向けられた不要な画像の表示が防止され得る。なお、第３検知器９は、第１検知器６に関して図６に例示されたものと同様に、取り付け部材Ｆと天井部との係合部に配置される角度センサであってもよい。また、第１検知器６が備えられずに第３検知器９だけが備えられてもよい。
【００４３】
本実施形態の日除け装置１は、さらに、運転者Ｍの眼の位置を検知する検知器（第２検知器８）を備えていてもよい。第２検知器８は、たとえば、図９に示されるように、２つの既知の位置にそれぞれ設置される眼検知用カメラ８ａ、８ｂおよび眼検知用カメラ８ａ、８ｂの撮影画像を分析する分析装置（図示せず）によって構成される。眼検知用カメラ８ａ、８ｂは、たとえば、遠赤外線センサを備え、撮像領域内の各部の温度データを生成する。常人の眼球は、顔の中の他の部分よりも低温であるという特徴がある。図示されない分析装置は、眼検知用カメラ８ａ、８ｂによって生成される温度データに基づいて、眼検知用カメラ８ａ、８ｂによる撮影画像における運転者Ｍの顔の位置、さらに眼の位置を特定する。眼検知用カメラ８ａ、８ｂに一般的なデジタル式のカメラが用いられ、図示されない分析装置における画像認識によって眼の位置が特定されてもよい。
【００４４】
眼検知用カメラ８ａ、８ｂの撮影画像における運転者Ｍの眼の位置が特定されることによって、既知の位置にある２つの眼検知用カメラ８ａ、８ｂを結ぶ直線Ｌ１と、眼検知用カメラ８ａ、８ｂそれぞれと運転者Ｍの眼を結ぶ直線とのなす角度θ１、θ２が特定される。そして、直線Ｌ１の長さと、角度θ１、θ２とに基づいて、三角法を用いて、眼検知用カメラ８ａ、８ｂに対する運転者Ｍの眼の位置が特定される。運転者Ｍの両眼のいずれか一方の位置だけが特定されてもよく、両眼の位置がそれぞれ特定されてもよい。両方の眼の位置が特定される場合は、たとえば、両眼を結ぶ線の中点の位置が算出され、その中点の位置が運転者Ｍの眼の位置として扱われる。また、運転時にいずれか一方の眼が優先して使用される場合（例えば、運転者Ｍが他方の眼を損傷している場合、画像を効き眼で視認したい場合等）、本実施形態の日除け装置１は、両眼に基づく設定から一方の眼に基づく設定に切り替えかつ右眼と左眼のどちらを使用するのかを指定する補助部を有していることが好ましく、補助部に入力された情報は後述する表示対象データ選択回路５３によるデータ処理に用いられる。第２検知器８の検知結果の利用方法については後述される。
【００４５】
図１０には、本実施形態の日除け装置１の主な構成要素がブロック図で示されている。撮像装置４で生成された撮像データはデータ処理回路５に送られる。データ処理回路５によって撮像データに基づいて生成された表示画像データは表示装置３に送られ、表示画像データに基づく画像が、表示装置３の表示部３ａに表示される。前述の第１検知器６および第３検知器９は制御回路７に接続されている。第１検知器６は、前述の第２検知器８と共に、データ処理回路５にも接続されている。なお、図１０では、第２の表示装置３９および第２の撮像装置４２（共に図８参照）の図示は省略されているが、第２の表示装置３９は、表示装置３と同様に、データ処理回路５および制御回路７に接続され、第２の撮像装置４２は、撮像装置４と同様にデータ処理回路５に接続され得る。
【００４６】
制御回路７は、第１および／または第３の検知器６、９の検知結果に基づいて表示装置３のオンオフ状態を制御すべく表示装置３に接続されている。制御回路７は、たとえば、コンパレータや幾つかのゲート素子の組み合わせによって構成され得る。また、制御回路７は、マイコンやゲートアレイの一部によって構成されてもよく、データ処理回路５に含められていてもよい。なお、図１０は、本実施形態における日除け装置１の構成の一例に過ぎず、日除け装置１は、図１０に示される構成要素を必ずしも全て含んでいなくてもよく、図１０に示されていない構成要素をさらに含んでいてもよい。また、データ処理回路５の内部の構成も、図１０に示されるものに限定されない。
【００４７】
データ処理回路５は、それぞれ固有の機能を有する回路ブロックである、データ生成回路５０、角度識別回路５１、データ補正回路５２、表示対象データ選択回路５３、メモリ回路５４、比較回路５５、および表示画像強調回路５６を含んでいる。表示対象データ選択回路５３は、メモリ回路５３ａを備えている。これらの回路ブロックは、部分的に又は全体的に、同一の回路素子を共用していてもよい。データ処理回路５は、マイコンやＡＳＩＣ、またはＦＰＧＡなどの任意の信号処理用半導体装置およびその周辺回路によって形成することができる。マイコンなどは、所定の処理手順を規定するソフトウェアに従って動作する。データ処理回路５内の各回路ブロックは、個々に半導体積回路装置や個別半導体素子を用いて形成されてもよい。
【００４８】
データ生成回路５０は、データ処理回路５の基本機能を担う回路ブロックであり、撮像データに基づいて、表示装置３の画素ごとの発光強度および発光のタイミングに関する情報を含む駆動信号を表示画像データとして生成する。データ生成回路５０は、たとえば、有機ＥＬ表示パネルなどの駆動信号の生成のために用いられ、所定の処理手順を規定するソフトウェアに従って動作する、所謂タイミングコントローラおよびその周辺回路であってよい。
【００４９】
角度識別回路５１、データ補正回路５２の機能が、図１１Ａ、１１Ｂ、１２Ａおよび１２Ｂを参照して、以下に説明される。角度識別回路５１は、第１検知器６の検知結果および第２検知器８の検知結果に基づいて、日除け部材２に向けられる運転者Ｍの視線に対する日除け部材２の表面（第１面）２ａの角度θＡを識別する。前述のように、第１検知器６は、日除け部材２の回動方向における位置を検知し得る。従って、日除け部材２と、既知の位置にある２つの眼検知用カメラ８ａ、８ｂとの位置関係も第１検知器６の検知結果から特定され得る。また、第２検知器８は、眼検知用カメラ８ａ、８ｂ（図９参照）に対する運転者Ｍの眼の位置を検知し得る。従って、日除け部材２に対する運転者Ｍの眼の位置も特定され、その結果、日除け部材２を見る運転者Ｍの視線Ｉの方向を特定することができる。すなわち、第１検知器６の検知結果および第２検知器８の検知結果に基づいて、日除け部材２に向けられる運転者Ｍの視線Ｉに対する、日除け部材２の第１面２ａの角度θＡを特定することができる。角度識別回路５１は、たとえば、このように角度θＡを特定する手順を含むソフトウェアなどに従って動作する。
【００５０】
データ補正回路５２は、所定の基準角度に対する角度θＡの差異Δθに基づいて撮像データを補正する（以下、基準角度を９０度として説明がなされる）。図１１Ａに示されるように、角度θＡが９０度である（Δθがゼロ、日除け部材２の第１面２ａと視線Ｉとが直交する）場合、図１１Ａにおける左側の図に例示されるように、表示装置３に表示される信号機Ｓ１の画像は、ほぼ適正に運転者Ｍの眼に捉えられる。しかし、図１１Ｂに示されるように、角度θＡが９０度以外の角度である場合、図１１Ｂにおける左側の図に示されるように、信号機Ｓ１の画像は、上下方向に縮小して歪んだ形状で運転者Ｍの眼に捉えられる。データ補正回路５２は、所定の基準角度と角度θＡとの差異Δθに基づいて、図１１Ｂに示されるような状態でも、表示装置３に表示される画像が適正に運転者Ｍの眼に捉えられるように、撮像データを補正する。
【００５１】
たとえば、データ補正回路５２は、撮像データのうちの表示装置３に表示させる領域の上下方向における中心画素から２つ上の画素のデータを、中心画素から１つ上の画素のデータに置き換える。また、中心画素から３つ上の画素および４つ上の画素のデータは、中心画素から２つ上の画素のデータ（前述のように置き換えられる前のデータ）に置き換えられる。データ補正回路５２は、このようなデータ補正を、上下両方向において、表示装置３に表示させる領域に対応する撮像データに対して行う。このような補正を行うことにより、表示装置３に表示される画像を上下方向に２倍に引き延ばすことができる。表示画像を上下方向に引き延ばす倍率は、所定の基準角度に対する角度θＡの差異Δθに基づいて選択される。たとえば、表示画像は、運転者Ｍの視線に対する日除け部材２の第１面２ａの角度θＡが９０度から離れれば離れるほど、より大きな倍率で上下方向に引き延ばされる。
【００５２】
データ処理回路５は、データ補正回路５２によって補正された後の撮像データに基づいて、データ生成回路５０において表示画像データを生成する。そうすることによって、たとえば、実際の表示装置３には、図１２Ａに示されるように、上下方向に引き延ばされた画像が表示される。しかし、運転者には、図１２Ｂに示されるように、本来の表示対象物（図１２Ｂでは信号機Ｓ１）の形状に近い形状の画像として捉えられる。運転者にとって表示対象物の認識が容易になると考えられる。なお、データ補正回路５２は、データ生成回路５０によって生成された表示画像データに対して補正するものであってもよい。
【００５３】
つぎに、表示対象データ選択回路５３（図１０参照）の機能が、図１３および図１４を参照して説明される。図１３に示されるように、運転者Ｍの眼の位置は、運転者の姿勢の変化などに応じて移動する。従って、運転者Ｍの視界において、日除け部材２によって生まれる死角部分も随時変動し得る。表示装置３には死角部分の光景だけを表示することが、運転者Ｍの眼に違和感無く画像が映る点で好ましいと考えられる。
【００５４】
図１３に示されるように、日除け部材２の基準位置ＰＲおよび運転者Ｍの眼の基準位置ＰＩが仮定されれば、これらと日除け部材２の大きさとに基づいて、撮像装置４の撮像領域における死角部分（基準死角部分ＢＲ）が定まる。なお、撮像領域は、撮像装置４の位置や特性によって固定的に定まる。日除け部材２および運転者Ｍの眼の位置が固定であれば、撮像データのうちの、基準死角部分ＢＲに対応する領域（基準表示対象領域）を表示対象領域とすることによって、常に死角部分の光景だけが表示装置３に表示される。しかし、日除け部材２および運転者Ｍの眼の位置は移動し、それにより死角部分が変動する。そのため、表示対象領域を死角部分の変動に応じて変更することが好ましい。表示対象データ選択回路５３は、このような表示のために、日除け部材２の操作者（本実施形態では運転者Ｍ）の視界において日除け部材２により遮られる死角部分を判別し、撮像データのうちの死角部分に対応する表示対象データを選択する。
【００５５】
表示対象データ選択回路５３には第１検知器６および第２検知器８が接続されている（図１０参照）。従って、表示対象データ選択回路５３には、日除け部材２の位置および運転者Ｍの眼の位置についての情報が入力される。また、表示対象データ選択回路５３はメモリ回路５３ａ（図１０参照）を備えている。メモリ回路５３ａには、様々な日除け部材２の位置および／または角度、ならびに運転者Ｍの眼の位置ごとに、日除け部材２によって遮られることで生じる死角部分ＢＡと、基準死角部分ＢＲとの差分に関する情報が記憶されている。図１３には、一例として、運転者Ｍの眼が位置ＰＡにあるときの死角部分ＢＡが示されている。たとえば、メモリ回路５３ａには、実際の死角部分ＢＡの位置を得るために必要な、基準死角部分ＢＲに対する上下方向および左右方向への移動量や拡大率もしくは縮小率などが記憶されている。表示対象データ選択回路５３は、第１および第２の検知器６、８からの日除け部材２の位置および運転者Ｍの眼の位置についての情報、ならびにメモリ回路５３ａの記憶内容に基づいて、実際の死角部分ＢＡの位置を数値演算などにより特定する。そして、表示対象データ選択回路５３は、撮像データのうちの、実際の死角部分ＢＡに対応する領域のデータを、表示対象とすべき表示対象データとして選択する。
【００５６】
そして、データ生成回路５０は、実際の死角部分ＢＡの光景を表示装置３に表示させるべく、選択された表示対象データに基づいて表示画像データを生成する。その結果、図１４に示されるように、撮像領域４１のうちの、基準死角部分に対応する基準表示対象領域ＤＲに対して変更された（図１４の例では上方にシフトされた）実際に表示すべき表示対象領域ＤＡの画像が、表示装置３に表示される。フロントガラス越しに見える光景との対比において違和感の少ない画像を表示装置３に表示することができる。
【００５７】
なお、表示対象データ選択回路５３は、車体に対する運転者Ｍの相対的な僅かな動きによって生じる画像表示の細かな揺れをキャンセルする機能を有していてもよい。たとえば、表示対象データ選択回路５３は、第２検知器８（図１０参照）からの情報が所定のレベル以上に頻繁に変動する場合は、第２検知器８からの情報をサンプリングする周期を長くするように構成されていてもよい。また、表示対象データ選択回路５３は、運転者Ｍの眼の位置の変化が所定の条件を満たさない場合には、表示対象データの選択動作を新たに開始しないように構成されていてもよい。また、表示対象データ選択回路５３における第２検知器８からの情報を受け取る入力部分にローパスフィルタが設けられてもよい。
【００５８】
つぎに、表示画像強調回路５６、比較回路５５およびメモリ回路５４（図１０参照）の機能が、図１５、１６Ａおよび１６Ｂを参照して説明される。
【００５９】
メモリ回路５４は、撮像装置４（図１参照）によって撮像され得る所定の対象物の外見的特徴に関する参照データを記憶する。図１５には、メモリ回路５４に記憶される参照データ５４ａ、５４ｂの例が、その参照データ５４ａ、５４ｂによって再構成され得る画像として概念的に示されている。すなわち、図１５に示されるように、メモリ回路５４には、信号機Ｓ１や規制標識Ｓ２などの、撮像装置４によって撮影される可能性のある物体の外見的特徴がデータ化して記憶されている。たとえば、メモリ回路５４には、信号機Ｓ１などを実際に撮像装置４で撮影することにより生成された撮像データが記憶されている。或いは、信号機Ｓ１などの形状を微小三角形のような単位要素を用いてモデリングし、その各単位要素の頂点座標によって参照データ５４ａ、５４ｂが形成されてもよい。参照データは任意の方法で形成され得る。メモリ回路５４は、特に限定されないが、たとえば、ＳＲＡＭやＰＲＯＭなどの任意の半導体記憶装置により構成される。前述の表示対象データ選択回路５３のメモリ回路５３ａとの間で同一の記憶装置が共用されてもよい。
【００６０】
比較回路５５は、撮像装置４により生成された撮像データと、メモリ回路５４に記憶されている参照データ５４ａ、５４ｂとを比較する。比較回路５５は、たとえば、撮像データおよび参照データ５４ａ、５４ｂを画像に再構成し、パターン認識技術によって比較してもよい。また、撮像データおよび参照データ５４ａ、５４ｂのデータ形式が同じであれば、実際のデータのままビットもしくはバイト単位で両データが逐次比較されてもよい。比較回路５５によって行われる比較の方法は特に限定されない。比較回路５５は、撮像データと参照データ５４ａ、５４ｂとの比較によって、所定の判定基準を満たすほど参照データ５４ａ、５４ｂのいずれかと近似している近似撮像データがある場合、その近似撮像データを検出する。
【００６１】
表示画像強調回路５６は、比較回路５５の比較の結果、近似撮像データが検出された場合は、近似撮像データに基づいて表示される所定の対象物の表示画像をその他の表示画像よりも強調して表示装置３に表示させる。具体的には、表示画像強調回路５６は、データ生成回路５０（図１０参照）によって生成される表示画像データのうちの、近似撮像データに基づいて生成された表示画像データを加工する。
【００６２】
たとえば、表示画像強調回路５６は、図１６Ａの表示装置３における左側に示されるように、強調対象物（信号機）の画像Ｓ１１の周囲の画素のデータを加工し、画像Ｓ１１が際立つように画像Ｓ１１を囲む枠Ｓ１２を表示させる。また、図１６Ａの表示装置３における右側に示されるように、強調対象物（規制標識）の画像Ｓ２１の周囲の画素のデータが加工され、画像Ｓ２１の拡大画像Ｓ２２が表示されてもよい。また、表示画像強調回路５６は、図１６Ｂに示されるように、強調対象物の表示画像Ｓ１１、Ｓ２１における特定の色（たとえば赤色や青色）を強調すべく、その特定の色のサブ画素の輝度を高めてもよい。
【００６３】
また、表示画像強調回路５６は、近似撮像データが検出された場合、その近似撮像データが含まれる撮像データに基づいて表示されるべき画像を所定の時間枠で静止画として表示装置３に表示させてもよい。たとえば、データ生成回路５０によって生成される表示画像データが随時ビデオメモリ（図示せず）などに記録される。そして、近似撮像データが検出されたときには、表示装置３に送られる表示画像データが、所定の時間の間、データ生成回路５０によって随時生成される表示画像データから、図示されないビデオメモリに記録されている表示画像データに切り換えられてもよい。表示画像強調回路５６は、これらの方法に限定されることなく任意の方法で特定の画像を強調することができる。このような強調によって、運転者Ｍに認識させる必要性の高い対象物に対する視認性を高めることができる。
【００６４】
図１７には、日除け装置１の表示装置３を構成する有機ＥＬ表示パネル３０の一画素分の断面図が例示されている。樹脂などからなる可撓性フィルム３７上に、Ｒ、Ｇ、Ｂのサブ画素ごとにＴＦＴ３８などのスイッチ素子が形成され、その上に形成された平坦化膜３１上に、第１電極（例えば陽極）３２が形成されている。第１電極３２は、たとえば、Ａｇなどの金属膜とＩＴＯ膜との組み合わせにより形成され、ＴＦＴ３８などのスイッチ素子に接続されている。サブ画素間には、ＳｉＯ2などからなる絶縁バンク３３が形成されている。絶縁バンク３３で囲まれた領域に有機層３４が蒸着されている。なお、図１７では、有機層３４は１層で示されているが、実際には、有機層３４は、異なる有機材料からなる複数層の積層膜で形成され得る。
【００６５】
有機層３４の上には第２電極（例えば陰極）３５が、たとえば、ＭｇおよびＡｇや、Ａｌなどを全面に蒸着することにより形成されている。さらに、第２電極３５の表面には、例えばＳｉ3Ｎ4などからなる保護膜３６が形成されている。図１７に示される各要素は、有機層３４や第２電極３５が水分や酸素などを吸収しないように、図示しない樹脂フィルムなどからなるシール層により全体的に封止される。なお、図１７に示される断面構造は一例に過ぎず、表示装置３を構成する有機ＥＬ表示パネル３０の構造や各構成要素の材料は、ここで説明された構造や材料に限定されない。
【００６６】
本実施形態の日除け装置１に用いられる有機ＥＬ表示パネル３０では、第１電極３２と第２電極３５とは、Ｒ、Ｇ、Ｂの各サブ画素のいずれにおいても、ほぼ同じ間隔を空けて形成されている。換言すると、第１電極３２および第２電極３５は、互いの間の間隔を、各色のサブ画素ごとに意図的に異ならされていない。一方、一般に有機ＥＬ表示パネルでは、パネルの表示面に垂直な方向に放射される光の強度を高めるため、有機層で発せられた光が陽極と陰極との間で反射を繰り返すように、各サブ画素の陽極と陰極との間隔を、そのサブ画素が発する色の光の波長に合致させている（マイクロキャビティ構造）。すなわち、一般の有機ＥＬ表示パネルでは、各色のサブ画素ごとに、陽極と陰極との間隔が異なっている。
【００６７】
これに対して、本実施形態の日除け装置１では、前述のように、表示装置３は、運転者Ｍに任意の角度から見られる。従って、表示装置３の表示面に垂直な方向に放射される光の強度を高めることは、あまり有用性を持たず、むしろ、角度が変わっても色度が大きく変化しないように、Ｒ、Ｇ、Ｂ各色の視野角依存性を一致させる方が重要である。そのため、本実施形態の日除け装置１に用いられる有機ＥＬ表示パネル３０の第１電極３２と第２電極３５は、一般の有機ＥＬ表示パネルと異なり、マイクロキャビティ効果を利用していない。たとえば、第１電極３２と第２電極３５は、Ｒ、Ｇ、Ｂの各サブ画素間でほぼ同じ距離だけ離間されていてもよい。換言すると、各サブ画素における陰極と陽極との間隔は、そのサブ画素が発する光の波長に合致していなくてもよい。すなわち、有機ＥＬ表示パネル３０は、複数のサブ画素を含み、複数のサブ画素のそれぞれは、複数のサブ画素のそれぞれが発する光の波長と異なる長さの間隔を空けて配置された２つの電極を含んでいてもよい。
【００６８】
以上の説明では、自動車のフロントガラスに対して用いられる場合を例に、本実施形態の日除け装置１が説明された。しかし、本実施形態の日除け装置１は、フロントガラスに対するものに限定されず、自動車のリアガラスを始め、任意の車両の窓ガラスや、前述のように、他の任意の乗り物および任意の建物の窓ガラスに適合し得るものと理解されるべきである。
【００６９】
図１８および図１９には、本発明の実施形態１の画像表示モジュール１１が示されている。画像表示モジュール１１は、前述の実施形態１の日除け装置１（図２参照）の日除け部材２を除く構成要素を、日除け装置１とほぼ同様に備えている。すなわち、画像表示モジュール１１は、表示部１３ａを操作者Ｍに向けて配置されるべき表示装置１３を備えている。表示装置１３は、表示装置などを備えていない日除け装置Ｘにおけるその使用時に操作者Ｍを向く表面Ｘａに配置される。なお、日除け装置Ｘは、前述の実施形態１の日除け装置１に備えられている表示装置３、撮像装置４およびデータ処理回路５などを備えていないので、日除け部材２に相当する構造および機能だけを備えており、使用時に操作者Ｍを向く表面Ｘａを有している。さらに、画像表示モジュール１１は、日除け装置Ｘの表面Ｘａの反対面が向く領域を撮像して撮像データを生成する撮像装置１４と、撮像装置１４が生成した撮像データに基づいて、日除け装置Ｘの使用時に表示部１３ａに表示されるべき表示画像データを生成するデータ処理回路１５と、を備えている。実施形態１の画像表示モジュール１１によれば、日除け装置Ｘの使用時において、日除け装置Ｘに隠れる領域を含む光景を日除け装置Ｘの操作者の眼に捉えさせることができる。
【００７０】
表示装置１３は、実施形態１の日除け装置１の表示装置３と同様に、好ましくは有機ＥＬ表示パネルや液晶表示パネルで構成される。表示装置１３は、日除け装置Ｘの使用時に日除け装置Ｘの表面Ｘａに取り付けて用いられる。図１８および図１９では、表示装置１３は、端縁付近に曲面部を有する日除け装置Ｘの表面Ｘａに、たとえば、粘着シートなどを用いて接着され、かつ、固定されている。表示装置１３は、表面Ｘａの曲面部上にまで及んでいる。従って、表示装置１３は可撓性を備えている。しかし、表示装置１３は剛性を備えるものであってもよい。図１９に示されるように、表示装置１３は、日除け装置Ｘに取り付けられていないときでも一定の機械的強度を有するように、支持体１３ｂに接合されていてもよい。支持体１３ｂは、任意の合成樹脂などで形成される。
【００７１】
撮像装置１４およびデータ処理回路１５は、実施形態１の日除け装置１の撮像装置４およびデータ処理回路５と同様に構成され得る。図１８に示されるように、撮像装置１４は表示装置１３（具体的にはデータ処理回路１５）に、有線または無線で接続されている。撮像装置１４は、図１８の例と異なり、表示装置１３の操作者Ｍを向く面と反対側に撮像レンズを向けて表示装置１３に固定されていてもよい。データ処理回路１５は、図１８の例では、支持体１３ｂ内に設けられている（図１８では、データ処理回路１５は、概念的に機能ブロックとして矩形で示されている）。データ処理回路１５は、図１８の例と異なり、表示装置１３と別個に備えられていてもよい。
【００７２】
表示装置１３、撮像装置１４、およびデータ処理回路１５は、それぞれ、前述の実施形態１の日除け装置１の表示装置３、撮像装置４、およびデータ処理回路５と同様の特徴を有し、かつ、同様に動作し得る。また、画像表示モジュール１１は、実施形態１の日除け装置１と同様に、第１〜第３の検知器を備えていてもよい。また、データ処理回路１５は、日除け装置１のデータ処理回路５と同様に、データ生成回路、角度識別回路、データ補正回路、表示対象データ選択回路、メモリ回路、比較回路および表示画像強調回路を含んでいてもよい。これら各構成要素も、それぞれ、実施形態１の日除け装置１の各構成要素と同様に動作し得る。従って、実施形態１の画像表示モジュール１１の各構成要素のさらなる説明は省略される。
【００７３】
＜まとめ＞
本発明の態様１に係る日除け装置は、板状の日除け部材と、前記日除け部材におけるその使用時に操作者を向く表面に、表示部を該操作者に向けて配置される表示装置と、前記表面の反対面が向く領域を撮像して撮像データを生成する撮像装置と、前記撮像装置が生成した撮像データに基づいて、前記日除け部材の使用時に前記表示部に表示されるべき表示画像データを生成するデータ処理回路とを備えることを特徴としている。
【００７４】
本発明の態様１の構成によると、室内などに日差しが直接差し込むときであっても、日除け部材でその眩しさを軽減し、かつ、日除け部材に隠れる領域を含む光景を日除け装置の操作者の眼に捉えさせることができる。
【００７５】
本発明の態様２に係る日除け装置は、上記態様１において、回動し得る前記日除け部材の位置を検知する第１検知器と、前記日除け部材の操作者の眼の位置を検知する第２検知器とをさらに備えており、前記データ処理回路が、前記第１検知器の検知結果および前記第２検知器の検知結果に基づいて、前記日除け部材に向けられる前記操作者の視線に対する前記日除け部材の前記表面の角度を識別する角度識別回路と、所定の基準角度に対する前記表面の角度の差異に基づいて前記撮像データを補正するデータ補正回路と、をさらに有し、前記データ処理回路は、前記所定の基準角度に対する前記表面の角度の差異について補正された表示画像を前記表示装置に表示すべく前記データ補正回路により補正された後の撮像データに基づいて前記表示画像データを生成してもよい。
【００７６】
本発明の態様２の構成によると、たとえば、日除け部材が、操作者の視線に対して傾いて位置付けられていても、操作者にとって認識し易い画像を表示装置に表示させることができる。
【００７７】
本発明の態様３に係る日除け装置では、上記態様２において、前記データ処理回路が、前記日除け部材の操作者の視界における前記日除け部材により遮られる死角部分を判別し、かつ、前記撮像データのうちの前記死角部分に対応する表示対象データを選択する表示対象データ選択回路をさらに有し、前記データ処理回路が、前記死角部分の光景を前記表示装置に表示させるべく前記表示対象データに基づいて前記表示画像データを生成してもよい。
【００７８】
本発明の態様３の構成によると、操作者の動きに伴って日除け部材による死角部分が変化する場合でも、操作者にとって違和感の少ない画像を表示装置に表示させることができる。
【００７９】
本発明の態様４に係る日除け装置は、上記態様２または３において、前記第１検知器の検知結果に基づいて前記表示装置のオンオフ状態を制御する制御回路をさらに備えていてもよい。
【００８０】
本発明の態様４の構成によると、操作者は、日除け部材を操作するだけで、表示装置に画像を表示させたり、その表示を停止させたりすることができる。
【００８１】
本発明の態様５に係る日除け装置は、上記態様２〜４のいずれかにおいて、前記日除け部材の位置を検知する第３検知器をさらに備えており、前記第３検知器は、前記第１検知器が検知し得る前記日除け部材の位置の変化の方向と異なる方向における前記日除け部材の位置を検知する検知器であり、前記制御回路は、前記第１検知器および前記第３検知器の検知結果に基づいて前記表示装置のオンオフ状態を制御してもよい。
【００８２】
本発明の態様５の構成によると、たとえば、日除け部材が使用位置に位置付けられていても、表示装置の表示部が操作者に向けられないなどの場合に、操作者は日除け部材を操作するだけで表示装置の表示を停止することができる。
【００８３】
本発明の態様６に係る日除け装置では、上記態様１〜５のいずれかにおいて、前記日除け部材が曲面部を有しており、前記表示装置が前記曲面部の曲面に沿って形成されていてもよい。
【００８４】
本発明の態様６の構成によると、操作者が斜め方向から表示装置の表示部を見る場合の視認性を高めることができる。
【００８５】
本発明の態様７に係る日除け装置では、上記態様６において、前記日除け部材が、使用時に上側に向けられる縁部および／または下側に向けられる縁部において前記曲面部を有しており、前記曲面部が５ｍｍ以上、２０ｍｍ以下の曲率半径を有していてもよい。
【００８６】
本発明の態様７の構成によると、操作者が斜め方向から表示装置の表示部を見る場合の視認性を効果的に高めることができる。
【００８７】
本発明の態様８に係る日除け装置では、上記態様６において、前記日除け部材の前記表面全体が曲面であり、前記表面は、５０ｍｍ以上、２５０ｍｍ以下の曲率半径を有していてもよい。
【００８８】
本発明の態様８の構成によると、操作者が斜め方向から表示装置の表示部を見る場合の視認性を効果的に高めることができる。
【００８９】
本発明の態様９に係る日除け装置では、上記態様１〜８のいずれかにおいて、前記表示装置が、有機材料が積層された表面を有する可撓性フィルムを用いて形成された有機ＥＬ表示パネルであってもよい。
【００９０】
本発明の態様９の構成によると、日除け部材の表面形状の設計の自由度が高まり、それにより、操作者が斜め方向から表示装置の表示部を見る場合の視認性を高めることができる。
【００９１】
本発明の態様１０に係る日除け装置では、上記態様９において、前記有機ＥＬ表示パネルは複数のサブ画素を含み、前記複数のサブ画素のそれぞれは、前記複数のサブ画素のそれぞれが発する光の波長と異なる長さの間隔を空けて配置された２つの電極を含んでいてもよい。
【００９２】
本発明の態様１０の構成によると、表示装置の表示面に対する広範な角度領域にわたって均等な画質で画像を表示することができる。
【００９３】
本発明の態様１１に係る日除け装置では、上記態様１〜１０のいずれかにおいて、前記データ処理回路が、所定の対象物の外見的特徴に関する参照データを記憶させておくメモリ回路と、前記撮像データと前記参照データとを比較する比較回路と、前記表示装置に表示される前記所定の対象物の表示画像を他の表示画像よりも強調すべく前記表示画像データを加工する表示画像強調回路と、をさらに有していてもよい。
【００９４】
本発明の態様１１の構成によると、操作者に認識させる必要性の高い対象物に対する視認性を高めることができ、そのような対象物に対する操作者の見落としを少なくすることができる。
【００９５】
本発明の態様１２に係る日除け装置では、上記態様１〜１１のいずれかにおいて、前記日除け部材が、少なくとも前記日除け部材における前記表面の前記反対面に、赤外線反射部材を備えていてもよい。
【００９６】
本発明の態様１２の構成によると、熱に起因する表示装置の特性の低下を防ぐことができる。
【００９７】
本発明の態様１３に係る日除け装置では、上記態様１〜１２のいずれかにおいて、前記撮像装置は、屈折率の調整により光の反射を低減する被覆層が形成されている表面を有するレンズを備えていてもよい。
【００９８】
本発明の態様１３の構成によると、撮像装置による撮像が逆光下で行われる場合でも、フレアやゴーストの少ない画像を表示装置に表示することができる。
【００９９】
本発明の態様１４に係る画像表示モジュールは、日除け装置におけるその使用時に操作者を向く表面に、表示部を該操作者に向けて配置されるべき表示装置と、前記表面の反対面が向く領域を撮像して撮像データを生成する撮像装置と、前記撮像装置が生成した撮像データに基づいて、前記日除け装置の使用時に前記表示部に表示されるべき表示画像データを生成するデータ処理回路とを備えることを特徴とする。
【０１００】
本発明の態様１４の構成によると、表示装置を備えない日除け装置が使用される場合でも、日除け装置に隠れる領域を含む光景を日除け装置の操作者の眼に捉えさせることができる。
【符号の説明】
【０１０１】
１    日除け装置
２    日除け部材
２ａ  表面（第１面）
２ｂ  反対面（第２面）
３    表示装置
３ａ  表示部
３０  有機ＥＬ表示パネル
３４  有機層
３７  可撓性フィルム
３９  第２の表示装置
４    撮像装置
４ａ  被覆層
４１  撮像領域
４２  第２の撮像装置
５    データ処理回路
５０  データ生成回路
５１  角度識別回路
５２  データ補正回路
５３  表示対象データ選択回路
５３ａ  メモリ回路
５４    メモリ回路
５４ａ、５４ｂ  参照データ
６    第１検知器
７    制御回路
８    第２検知器
８ａ、８ｂ  眼検知用カメラ
９    第３検知器
１１  画像表示モジュール
１３  表示装置
１４  撮像装置
１５  データ処理回路
Ｂ    死角部分
ＢＡ  実際の死角部分
ＢＲ  基準死角部分
Ｃ    自動車
ＤＲ  基準表示対象領域
ＤＡ  実際の表示対象領域
Ｍ    運転者（操作者）
Ｐ０  非使用位置
Ｐ１、Ｐ２  使用位置
【図１】
2018177204.tif 000003
【図２】
2018177204.tif 000004
【図３】
2018177204.tif 000005
【図４Ａ】
2018177204.tif 000006
【図４Ｂ】
2018177204.tif 000007
【図５】
2018177204.tif 000008
【図６】
2018177204.tif 000009
【図７Ａ】
2018177204.tif 000010
【図７Ｂ】
2018177204.tif 000011
【図８】
2018177204.tif 000012
【図９】
2018177204.tif 000013
【図１０】
2018177204.tif 000014
【図１１Ａ】
2018177204.tif 000015
【図１１Ｂ】
2018177204.tif 000016
【図１２Ａ】
2018177204.tif 000017
【図１２Ｂ】
2018177204.tif 000018
【図１３】
2018177204.tif 000019
【図１４】
2018177204.tif 000020
【図１５】
2018177204.tif 000021
【図１６Ａ】
2018177204.tif 000022
【図１６Ｂ】
2018177204.tif 000023
【図１７】
2018177204.tif 000024
【図１８】
2018177204.tif 000025
【図１９】
2018177204.tif 000026